(57)【特許請求の範囲】
【請求項１】
座と、座の後端に上下に回動可能に連結された背もたれとを有し、背もたれを起こした長椅子形態と背もたれを座の後方に倒したベッド形態とにその使用形態を変更可能であるロビーチェアにおいて、
前記背もたれの上部の左右両側面に前記背もたれの左右幅方向外方に突出させて互いに同軸的に設けられた一対の円柱状の把手と、
前記座の両側に設けられた前脚及び後脚と、を有し、
前記ベッド形態での使用時に前記把手が前記後脚の後方に位置することを特徴とするロビーチェア。
【請求項２】
前記後脚はその上端部から下端部にかけて斜めに後方に延びている、請求項１のロビーチェア。
【請求項３】
前記長椅子形態を維持するために前記背もたれを前記後脚に係脱自在に固定するロック機構を有する、請求項１又は２のロビーチェア。
【請求項４】
前記ベッド形態での使用時に前記背もたれを支える支承部が前記後脚に設けられている、請求項３のロビーチェア。
【請求項５】
前記ロック機構は、前記背もたれの背面部の下端近傍に設けられた操作子と、前記操作子を操作することにより前記背もたれの下端近傍側面から出没する可動部材と、前記可動部材を係止するべく前記後脚に設けられた固定部材とを有し、
前記操作子は、前記背もたれの背面をなすカバー材によって覆い隠されており、当該カバー材の一部を捲ることにより露出させることが可能である、請求項３又は４のロビーチェア。
【発明の詳細な説明】
【技術分野】
【０００１】
本発明は、病院のロビーや待合室等に設置される長椅子タイプのロビーチェアに関し、より詳細には、緊急時に背もたれを後方に倒してベッドとして使用できるロビーチェアに関する。
【背景技術】
【０００２】
病院のロビーや待合室等には、主に患者やその付添人等が使用するロビーチェアが設置されている。ロビーチェアには、緊急時に背もたれを後方に倒してベッドとして使用できるベッド兼用タイプのものがある（特許文献１、特許文献２）。
【先行技術文献】
【特許文献】
【０００３】
【特許文献１】特開２００４−１６００１５号
【特許文献２】特開２００２−２３８７０１号
【発明の開示】
【発明が解決しようとする課題】
【０００４】
ベッド兼用タイプのロビーチェアの多くは、背もたれを倒す際に操作者が掴むための把手が背もたれの背面上部に設けられている。このため、ロビーチェアが背もたれを壁に向けた状態で壁際に設置されている場合、ロビーチェアを壁から離して背もたれと壁との間に作業者が入る空間を確保しなければ、背もたれ部を後方に倒してベッド形態に変形させる作業を行うことができないことがある。特に、患者が座上に寝ている状態ではロビーチェアを壁から離すことが困難な場合も多く、このような場合、数人がかりで患者を一旦座から持ち上げ、その間にロビーチェアを壁際から移動させてベッド形態に変形させるといった煩雑な作業を余儀なくされる。
【０００５】
本発明が解決しようとする課題は、緊急時に患者が座上に寝た状態のまま簡易かつ安全にベッド形態に変形させることができるロビーチェアを実現することにある。
【課題を解決するための手段】
【０００６】
上記課題を解決するために、本発明のロビーチェアは、座と、座の後端に上下に回動可能に連結された背もたれとを有し、背もたれを起こした長椅子形態と背もたれを座の後方に倒したベッド形態とにその使用形態を変更可能であるロビーチェアにおいて、前記背もたれの上部側面（長椅子形態時における上部側面）に前記背もたれの左右幅方向外方に突出させて円柱状の把手を設けたことを特徴としている。
この構成によれば、操作者が把手を掴んで背もたれを支えながら後方に倒すことにより、ロビーチェアの使用形態を長椅子形態からベッド形態に変更することができる。把手が背もたれの上部側面に設けられているので、ロビーチェアが背もたれを壁に向けた状態で壁際に設置されている場合でも、使用形態の変更操作を容易に行うことができる。把手の形状が円柱状であり、これが背もたれの側面に背もたれの左右幅方向外方に突出させて設けられているので、操作者が背もたれを倒す際に、把手を掴んでいる手をひねるおそれがなく、安全に背もたれを倒すことができる。
【０００７】
本発明のロビーチェアにおいて、前記把手が前記背もたれの左右両側に設けられていることが望ましい。背もたれの左右両側に把手が設けられていることにより、ロビーチェアの左右どちらからでも、把手を掴んで背もたれを倒すことができる。また、操作者が２人がかりで背もたれを倒す際、各操作者がロビーチェアの左右から把手を掴んで背もたれを倒すことができる。
【０００８】
また、本発明のロビーチェアは、前記座の両側に前脚及び後脚を有し、前記後脚はその上端部から下端部にかけて斜めに後方に延びていることが望ましい。そして、前記ベッド形態での使用時に前記背もたれを支える支承部が前記後脚に設けられていることが望ましい。
後脚がその上端部から下端部にかけて斜めに後方に延びていることにより、背もたれを倒してベッド形態で使用する際に重心が後方に移動しても、座及び背もたれを安定して支持することができる。また、ベッド形態での使用時に背もたれの荷重を後脚に設けた支承部で承けることにより、座及び背もたれをより安定して支持することができる。
【０００９】
また、本発明のロビーチェアは、前記長椅子形態を維持するために前記背もたれを前記後脚に係脱自在に固定するロック機構を備えていることが望ましい。ロック機構を備えていることにより、背もたれが不用意に倒れることを防止できる。
【００１０】
また、本発明のロビーチェアにおいて、前記ロック機構は、前記背もたれの背面部の下端近傍に設けられた操作子と、前記操作子を操作することにより前記背もたれの下端近傍側面から出没する可動部材と、前記可動部材を係止するべく前記後脚に設けられた固定部材とを有し、前記操作子は、前記背もたれの背面をなすカバー材によって覆い隠されており、当該カバー材の一部を捲ることにより露出させることが可能であることが望ましい。
この構成によれば、通常の使用形態である長椅子形態での使用時には、ロック機構の操作子をカバー材で覆い隠して、一般の使用者にはその存在或いは位置を知られないようにすることができる。そして、緊急時の使用形態であるベッド形態に変更する際、操作者がカバー材の一部を捲り、露出した操作子を操作することにより、固定部材による可動部材の係止状態を解除して、後脚に対する背もたれの固定を解除することができる。
【発明の効果】
【００１１】
本発明によれば、緊急時に患者が座上に寝た状態のまま簡易かつ安全にベッド形態に変形させることができるロビーチェアを、構造を複雑化することなく実現することができる。
【図面の簡単な説明】
【００１２】
【図１】本発明のロビーチェアの外観を例示する斜視図
【図２】図１に示すロビーチェアのベッド形態における外観を例示する斜視図
【図３】図１に示すロビーチェアの長椅子形態における断面図
【図４】図１に示すロビーチェアの長椅子形態における断面図
【図５】図１に示すロビーチェアのロック機構を露出させた状態を示す斜視図
【図６】図５のロック機構の部分を示す要部拡大図
【図７】図１に示すロビーチェアの動作説明図
【発明を実施するための形態】
【００１３】
以下、本発明の実施形態について図面を参照して説明する。
図１は本発明にかかるロビーチェアの実施形態を例示する斜視図であり、ロビーチェアの通常の使用形態である長椅子形態における全体の外観を示している。図２は図１に示すロビーチェアの緊急時の使用形態であるベッド形態における全体の外観を示す斜視図である。
【００１４】
ロビーチェア１は、左右両端に脚体２Ｒ、２Ｌが取り付けられた横長矩形状のフレーム３と、フレーム３に載せて固定された座４と、座４の後端に連結された背もたれ５とを有している。ロビーチェア１は、背もたれ５を起こした長椅子形態（図１）と、背もたれ５を座４の後方に倒したベッド形態（図２）とにその使用形態を変更可能である。
【００１５】
座４と背もたれ５は、図３及び図４に示すように、金属製の複数の部品からなる起伏装置６を介して互いに上下に回動可能に連結されている。起伏装置６は、座４と背もたれ５とを互いに回動自在に連結しているヒンジ機構６ａと、背もたれ５を起こした状態（図３の状態）又は倒した状態（図４の状態）に切り替えて保持可能なリンク式の係止機構６ｂとを有している。
【００１６】
背もたれ３の左右両側面の上端近傍には、一対の把手７（７Ｒ、７Ｌ）が互いに同軸的に設けられている。両把手７（７Ｒ、７Ｌ）は、円柱状の同形同寸の部材であり、背もたれ３の左右両側面から背もたれ３の左右幅方向外方（ヒンジ機構６ａの回動軸に対して平行方向外方）に突出している。
【００１７】
脚体２Ｒ、２Ｌは、前脚８（８Ｒ、８Ｌ）と、後脚９（９Ｒ、９Ｌ）と、前後の脚８、９上に掛け渡して設けられた肘掛け１０（１０Ｒ、１０Ｌ）と、これらの間に設けられた側板１１（１１Ｒ、１１Ｌ）とを有する。肘掛け１０（１０Ｒ、１０Ｌ）は、側板１１（１１Ｒ、１１Ｌ）の上端面に固定されている。前脚８（８Ｒ、８Ｌ）は側板１１（１１Ｒ、１１Ｌ）の前端面に、後脚９（９Ｒ、９Ｌ）は側板１１（１１Ｒ、１１Ｌ）の後端面にそれぞれ固定されている。前脚８（８Ｒ、８Ｌ）は床面に対して略垂直に延びている。一方、後脚９（９Ｒ、９Ｌ）は、座４よりも後方に配置され、その上端部９ａから下端部９ｂにかけて後方に斜めに延びている。両後脚９（９Ｒ、９Ｌ）の高さ方向中間部には、ベッド形態での使用時に背もたれ５を下方から承け支える支承部１２（１２Ｒ、１２Ｌ）が互いに内向きに突き出して設けられている。
【００１８】
背もたれ５の背面下半部は、長椅子形態での使用時に床に対して後脚９（９Ｒ、９Ｌ）と略同角度になるようにテーパ状に膨出している。このテーパ状に膨出している部分５ａの下側左隅部には、長椅子形態を維持するために背もたれ５を左側の後脚９Ｌに係脱自在に固定するロック機構１３が設けられている。
【００１９】
図５及び図６に示すように、ロック機構１３は、背もたれ５の背面部の下端近傍に設けられた、ロックレバー（操作子）１４と、ロックレバー１４を左右にスライド操作することにより背もたれ５の下端近傍左側面から出没する金属製のスライド片（可動部材）１５と、スライド片１５の先端部を受け入れてこれを背もたれ５の回動方向に移動不能に係止するべく左側の後脚９Ｌに埋め込んで設けられた角筒状の係止金具（固定部材）１６とを有して構成される。
【００２０】
ロック機構１３の操作部１３ａすなわち、ロックレバー１４とこれをガイドする枠１７とを含む部分は、背もたれ５の背面をなすカバー材１８によって覆われている。カバー材１８の一部すなわち、操作部１３ａを覆っている部分１８ａは、図示しない両面ファスナ、ボタンなどの留め具によって開閉可能に閉じられている。そして、この部分１８ａを捲ることにより操作部１３ａを露出させることができるようになっている。
【００２１】
以下、上記のように構成されたロビーチェア１の作用・効果について述べる。
図７に示すように、このロビーチェア１は、操作者Ｐが把手７を掴んで背もたれ５を支えながら後方に倒すことにより、その使用形態を長椅子形態（図１）からベッド形態（図２）に変更することができる。座４が脚体２Ｒ、２Ｌに固定されており、その固定された座４に対して背もたれ５だけを後方に倒すことによりベッド形態（図２）にすることができるので、緊急時に患者が座４上に寝た状態のまま長椅子形態（図１）からベッド形態（図２）に変形させて、そのままベッドとして使用することができる。
また、把手７（７Ｒ、７Ｌ）が背もたれ５の上部側面に設けられているので、ロビーチェア１が背もたれ５を部屋の壁Ｗに向けた状態で壁際に設置されている場合でも、使用形態の変更操作を容易に行うことができる。把手７（７Ｒ、７Ｌ）の形状が円柱状であり、これが背もたれ５の側面に背もたれ５の左右幅方向外方に突出させて設けられているので、操作者Ｐが背もたれ５を倒す際に、把手７（７Ｒ、７Ｌ）を掴んでいる手をひねって怪我をするおそれがなく、安全に背もたれ５を倒すことができる。背もたれ５の左右両側に把手７（７Ｒ、７Ｌ）が設けられているので、ロビーチェア１の左右どちらからでも、把手７（７Ｒ、７Ｌ）を掴んで背もたれ５を倒すことができる。また、操作者が２人がかりで背もたれ５を倒す必要がある場合には、各操作者Ｐがロビーチェア１の左右から把手７（７Ｒ、７Ｌ）を掴んで背もたれ５を倒すことができる。
【００２２】
また、このロビーチェア１は、後脚９（９Ｒ、９Ｌ）が座４よりも後方に配置され、後脚９（９Ｒ、９Ｌ）の下端部９ｂが上端部９ａより後方に斜めに延びているので、背もたれ５を倒してベッド形態で使用する際に重心が後方に移動しても、座４及び背もたれ５を安定して支持することができる。また、ベッド形態での使用時に背もたれ５の荷重を後脚９（９Ｒ、９Ｌ）に設けた支承部１２（１２Ｒ、１２Ｌ）で承け支える構造を採用しているので、ベッド形態での使用時に座４及び背もたれ５をより安定して支持することができる。
【００２３】
また、このロビーチェア１は、長椅子形態を維持するために背もたれ５を後脚９（９Ｒ、９Ｌ）に係脱自在に固定するロック機構１３を備えているので、背もたれ５が不用意に倒れることを防止できる。
【００２４】
また、ロック機構１３の操作部１３ａが背もたれ５の背面をなすカバー材１８によって覆い隠されており、そのカバー材１８の操作部１３ａを覆っている部分１８ａを捲ると操作部１３ａが露出する構造になっているので、通常の使用形態である長椅子形態（図１）での使用時には、ロック機構１３の操作部１３ａをカバー材１８で覆い隠して、一般の使用者にはその存在或いは位置を知られないようにすることができる。そして、緊急時の使用形態であるベッド形態（図２）に変更する際、ロック機構１３の存在及び位置を知っている操作者Ｐがカバー材１８を捲り、露出した操作子１４を操作することにより、後脚７（７Ｌ）に対する背もたれ５の固定を解除することができる。これにより、病院のロビーや待合室等を利用する一般の使用者によってロック機構１３の解除操作がなされて背もたれ５が不用意に倒されてしまうことを防止できる。
【００２５】
なお、上記の実施形態では背もたれ５の片側のみにロック機構１３が設けられているが、左右両側にロック機構１３を設けてもよい。左右両側にロック機構１３を設けておくことにより、背もたれ５の不用意な倒伏操作をより確実に防止できる。
また、上記の実施形態では背もたれ５の左右両側に把手７が設けられているが、把手７は背もたれ５の左右の少なくとも一方に設けられていればよい。
【符号の説明】
【００２６】
１  ロビーチェア
２Ｒ、２Ｌ  脚体
４  座
５  背もたれ
７（７Ｒ、７Ｌ）  把手
８（８Ｒ、８Ｌ）  前脚
９（９Ｒ、９Ｌ）  後脚
１２（１２Ｒ、１２Ｌ）  支承部
１３  ロック機構
１３ａ  操作部
１４  ロックレバー（操作子）
１５  スライド片（可動部材）
１６  係止金具（固定部材）
１８  カバー材
１８ａ  カバー材の一部
【図１】
0005483415.tif 000002
【図２】
0005483415.tif 000003
【図３】
0005483415.tif 000004
【図４】
0005483415.tif 000005
【図５】
0005483415.tif 000006
【図６】
0005483415.tif 000007
【図７】
0005483415.tif 000008